(57)【要約】【課題】安全性を高めた乗客コンベアのインレット安全装置を提供する。【解決手段】スカート部６に移動手摺り５が進入する位置で移動手摺り５の外周を覆い、且つ、移動手摺り５の移動方向ｈに移動自在に設けられたインレット部材１１と、インレット部材１１に固定されたインレット支持部材１２と、エスカレータ本体側に固定された固定部材１３と、インレット支持部材１２と固定部材１３との間に介在され、互いに略平行に配置された２枚の板バネ１４と、インレット部材１１の移動手摺り５の移動方向ｈへの変位を検出する安全スイッチ１５とを備え、２枚の板バネ１４がインレット部材１１の移動手摺り５の移動方向ｈへの移動を、移動手摺り５の外側表面５ａとこれに対向するインレット部材１１の内面との隙間を狭くする方向に変位しつつガイドする。【選択図】図４
2008156084.tif 000002
【特許請求の範囲】
【請求項１】
スカート部に移動手摺りが進入する位置で前記移動手摺りの外周を覆い、且つ、前記移動手摺りの移動方向に移動自在に設けられたインレット部材と、
前記インレット部材を前記移動手摺りの移動方向の反対方向に付勢する付勢手段と、
前記インレット部材に固定されたインレット支持部材とコンベア本体側に固定された固定部材との間に介在され、互いに略平行に配置された複数の弾性体でなり、前記インレット部材の前記移動手摺りの移動方向への移動を、前記移動手摺りの外側表面とこれに対向する前記インレット部材の内面との隙間を狭くする方向に変位しつつガイドするインレット移動ガイド手段と、
前記インレット部材の前記移動手摺りの移動方向への変位を検出する安全スイッチと、
を備えたことを特徴とする乗客コンベアのインレット安全装置。
【請求項２】
スカート部に移動手摺りが進入する位置で前記移動手摺りの外周を覆い、且つ、前記移動手摺りの移動方向に移動自在に設けられたインレット部材と、
前記インレット部材を前記移動手摺りの移動方向の反対方向に付勢する付勢手段と、
前記インレット部材に固定されたインレット支持部材とコンベア本体側に固定された固定部材との間を連結し、互いに略平行に配置された複数のリンク部材でなり、前記インレット部材の前記移動手摺りの移動方向への移動を、前記移動手摺りの外側表面とこれに対向する前記インレット部材の内面との隙間を狭くする方向に変位しつつガイドするインレット移動ガイド手段と、
前記インレット部材の前記移動手摺りの移動方向への変位を検出する安全スイッチと、
を備えたことを特徴とする乗客コンベアのインレット安全装置。
【請求項３】
複数の前記リンク部材は、前記インレット支持部材と前記固定部材の両側位置にそれぞれ設けられたことを特徴とする請求項２記載の乗客コンベアのインレット安全装置。
【発明の詳細な説明】
【技術分野】
【０００１】
本発明は、移動手摺りがスカート部内に入り込む箇所での巻き込み事故を防止するための乗客コンベアのインレット安全装置に関する。
【背景技術】
【０００２】
乗客コンベアであるエスカレータは、上階床と下階床の間に亘って配置されたトラス構造体と、このトラス構造体内で循環走行を行う、無端状に連結された多数の踏段と、この踏段の幅方向両側位置に立設された一対の欄干と、一対の欄干の周縁部にそれぞれ装着され、踏段と同期して移動する無端状の一対の移動手摺りと、一対の欄干の各下部位置で、一方の乗降口から他方の乗降口の間に亘って設けられた一対のスカート部とを備えている。
【０００３】
移動手摺りは、エスカレータの乗り口側でスカート部より外部に現れ、欄干の上端側を走行する際に利用者が手で掴めるように外部を移動する。そして、エスカレータの降り口側でスカート部内に入り込み、欄干の下端側を走行する際にはスカート部内を移動する。移動手摺りが外部よりスカート部内に入り込む箇所では、移動手摺りと共に利用者の指等がスカート部との隙間に巻き込まれることが想定される。そのため、スカート部への巻き込み防止対策として従来より種々のインレット安全装置が提案されている。
【０００４】
以下、従来技術について説明する。第１の従来技術としては、図１４に示すように、インレット安全装置１００が、スカート部１０１に移動手摺り１０２が進入する位置で移動手摺り１０２の外周を覆うインレット部材１０３と、スカート部１０１に支持され、インレット部材１０３の下部の変位を検出する安全スイッチ１０４とを備えている。インレット部材１０３は、その上端部１０３ａでスカート部１０１にヒンジ部１０５を介して支持されている（例えば、特許文献１参照）。
【０００５】
上記構成において、移動手摺り１０２の移動に伴って利用者の指等の異物がスカート部１０１に近づくと、インレット部材１０３に突き当たり、インレット部材１０３を押す。この押圧力でインレット部材１０３がヒンジ部１０５を支点としてａ矢印方向に揺動する。これを安全スイッチ１０４が検知し、エスカレータの運転が減速・停止される。これによって、利用者の指等の異物が移動手摺り１０２とインレット部材１０３との隙間に巻き込まれる事態を防止する。
【０００６】
第２の従来技術としては、図１５に示すように、インレット安全装置１１０が、スカート部１１１に移動手摺り１１２が進入する位置で移動手摺り１１２の外周を覆うインレット部材１１３と、インレット部材１１３の外周を覆うように配置され、インレット部材１１３の移動手摺り１１２の移動方向ｂへのスライドをガイドするスライドガード部材１１４と、スライドガード部材１１４とインレット部材１１３との間に介在され、インレット部材１１３を移動手摺り１１２の移動方向ｂの反対方向に付勢するバネ１１５と、インレット部材１１３の移動手摺り１１２の移動方向ｂへの変位を検出する安全スイッチ１１６とを備えている（特許文献２参照）。
【０００７】
上記構成において、移動手摺り１１２の移動に伴って利用者の指等の異物がスカート部１１１に近づくと、インレット部材１１３に突き当たり、インレット部材１１３を押す。この押圧力でインレット部材１１３がバネ１１５のバネ力に抗してスライドする。これを安全スイッチ１１６が検知し、エスカレータの運転が停止される。これによって、利用者の指等の異物が移動手摺り１１２とインレット部材１１３との隙間に巻き込まれる事態を防止する。
【０００８】
第３の従来技術としては、図１６に示すように、インレット安全装置１２０が、スカート部１２１に移動手摺り１２２が進入する位置で移動手摺り１２２の外周を覆うインレット部材１２３と、インレット部材１２３の上端部にボルト１２４で固定され、下端部がスカート部１２１にボルト１２５で固定された撓みプレート部材１２６と、撓みプレート部材１２６とインレット部材１２３の下部との間に介在され、インレット部材１２３の下部を移動手摺り１２２の移動方向ｃの反対側に付勢するバネ１２７と、インレット部材１２３が撓みプレート部材１２６の撓み変形によってｄ矢印方向に変位したり、インレット部材１２３の下部がバネ１２７のバネ力に抗してｅ矢印方向に変位したりすると、これらの変位を検出片１２８を介して検出する安全スイッチ１２９とを備えている（特許文献３参照）。
【０００９】
上記構成において、移動手摺り１２２の移動に伴って利用者の指等の異物がスカート部１２１に近づくと、先ずインレット部材１２３に突き当たり、インレット部材１２３を押す。ここで、インレット部材１２３の上側を押すと、撓みプレート部材１２６がｄ矢印方向に撓んでインレット部材１２３が移動手摺り１２２の移動方向に変位する。又、インレット部材１２３の下側を押すと、インレット部材１２３の下部がバネ１２７のバネ力に抗してｅ矢印方向に変位する。このいずれの変位をも安全スイッチ１２９が検知し、エスカレータの運転が停止される。これによって、利用者の指等の異物が移動手摺りとインレット部材との隙間に巻き込まれる事態を防止する。
【００１０】
このように第１〜第３従来例では、利用者の指等の異物がインレット部材１０３，１１３，１２３の先端面に突き当り、インレット部材１０３，１１３，１２３と移動手摺り１０２．１１２，１２２との隙間に入り込まなければ安全に作動する。
【特許文献１】特開平７−１９６２７８号公報
【特許文献２】特開平８−１９８５７０号公報
【特許文献３】特開平８−１９８５７０号公報
【発明の開示】
【発明が解決しようとする課題】
【００１１】
しかしながら、インレット部材１０３，１１３，１２３は、移動手摺り１０２．１１２，１２２に対して移動手摺り１０２．１１２，１２２の振動による接触を回避する等の理由によって所定の隙間をもって設置される。そのため、移動手摺り１０２．１１２，１２２の外側表面１０２ａ，１１２ａ，１２２ａとこれに対向するインレット部材１０３，１１３，１２３の内面との隙間に利用者の指等の異物が入り込むような位置でインレット部材１０３，１１３，１２３に突き当たる事態が想定される。
【００１２】
第１の従来技術では、インレット部材１０３がその上端部のヒンジ部１０５を支点として回転するので、インレット部材１０３に対して異物が上記したような突き当たり方をすると、上記隙間を広げる方向に変位し、異物がインレット部材１０３と移動手摺り１０２との隙間に引き込まれる可能性がある。第２の従来技術では、インレット部材１１３とスライドガード部材１１４との間はインレット部材１１３のスムーズなスライドを確保する隙間が存在するので、インレット部材１１３に対して異物が上記したような突き当たり方をすると、上記隙間を広げる方向に変位し、異物がインレット部材１１３と移動手摺り１１２との隙間に引き込まれる可能性がある。第３の従来技術では、インレット部材１２３が撓みプレート部材１２６に支持されているので、インレット部材１２３に対して異物が上記したような突き当たり方をすると、撓みプレート部材１２６の撓み変形で上記隙間を広げる方向に変位し、異物がインレット部材１２３と移動手摺り１２２との隙間に引き込まれる可能性がある。
【００１３】
このように第１〜３の従来技術では、移動手摺り１０２．１１２，１２２の外側表面１０２ａ，１１２ａ，１２２ａとこれに対向するインレット部材１０３，１１３，１２３の内面との隙間に利用者の指等が入り込む可能性を否定できないものであった。
【００１４】
また、上記第１〜３の従来技術では、インレット部材１０３，１１３，１２３の下方に位置するスカート部にインレット安全装置１００，１１０，１２０が設けられており、スカート部下部におけるインレット安全装置１００，１１０，１２０の占有スペースが大きい。このように、スカート部下部に例えばディスプレイなどの情報表示装置を設置しようとしてもインレット安全装置１００，１１０，１２０が干渉するため、情報表示装置を設置することが困難であった。
【００１５】
そこで、本発明は、移動手摺りの外側表面とこれに対向するインレット部材の内面との隙間に利用者の指や異物などが入り込むような位置でインレット部材に突き当たる場合においても安全性を確保できるコンパクトな構造の乗客コンベアのインレット安全装置を提供することを目的とする。
【課題を解決するための手段】
【００１６】
本発明の第１の特徴は、スカート部に移動手摺りが進入する位置で前記移動手摺りの外周を覆い、且つ、前記移動手摺りの移動方向に移動自在に設けられたインレット部材と、前記インレット部材を前記移動手摺りの移動方向の反対方向に付勢する付勢手段と、前記インレット部材に固定されたインレット支持部材とコンベア本体側に固定された固定部材との間に介在され、互いに略平行に配置された複数の弾性体でなり、前記インレット部材の前記移動手摺りの移動方向への移動を、前記移動手摺りの外側表面とこれに対向する前記インレット部材の内面との隙間を狭くする方向に変位しつつガイドするインレット移動ガイド手段と、前記インレット部材の前記移動手摺りの移動方向への変位を検出する安全スイッチと、を備えたことを要旨とする。
【００１７】
本発明の第２の特徴は、スカート部に移動手摺りが進入する位置で前記移動手摺りの外周を覆い、且つ、前記移動手摺りの移動方向に移動自在に設けられたインレット部材と、前記インレット部材を前記移動手摺りの移動方向の反対方向に付勢する付勢手段と、前記インレット部材に固定されたインレット支持部材とコンベア本体側に固定された固定部材との間を連結し、互いに略平行に配置された複数のリンク部材でなり、前記インレット部材の前記移動手摺りの移動方向への移動を、前記移動手摺りの外側表面とこれに対向する前記インレット部材の内面との隙間を狭くする方向に変位しつつガイドするインレット移動ガイド手段と、前記インレット部材の前記移動手摺りの移動方向への変位を検出する安全スイッチと、を備えたことを要旨とする。
【発明の効果】
【００１８】
本発明によれば、移動手摺りの外側表面とこれに対向するインレット部材の内面との隙間に利用者の指等の異物が入り込むような位置でインレット部材に突き当たると、インレット部材が移動手摺りの移動方向に移動するが、その移動に際してインレット部材がインレット移動ガイド手段によって上記隙間を狭める方向に変位しつつ移動するため、利用者の指等の異物がインレット部材と移動手摺りとの隙間に深く入り込むことがない。従って、移動手摺りの外側表面とこれに対向するインレット部材の内面との隙間に利用者の指等の異物が入り込むような位置でインレット部材に突き当たる場合においても安全性を確保できる。
【００１９】
また、本発明によれば、インレット安全装置が、インレット部材下方のスカート部を干渉しないため、インレット部材の下方のスカート部に、例えば情報表示装置を設置することが可能となり、乗降客に対して例えば注意情報などの情報を認識させることが可能となる。
【発明を実施するための最良の形態】
【００２０】
以下、本発明の実施の形態を図面を用いて説明する。
【００２１】
（第１の実施の形態）
図１〜図７は本発明に係る乗客コンベアのインレット安全装置を適用した第１の実施の形態を示し、図１はエスカレータの概略側面図、図２は図１のＡ矢視図、図３はインレット安全装置の正面図、図４はインレット安全装置の側面図、図５はインレット安全装置の平面図、図６はインレット部材が変位した状態を示す側面図、図７はインレット部材が変位した状態を示す平面図である。
【００２２】
図１に示すように、乗客コンベアであるエスカレータ１は、上階床と下階床の間に亘って配置されたトラス構造体２と、このトラス構造体２内で長楕円軌道に沿って配置され、無端状に連結された多数の踏段３と、この多数の踏段３の両側位置に立設された一対の欄干４と、一対の欄干４の周縁部にそれぞれ装着され、多数の踏段３と同期して移動する無端状の一対の移動手摺り５と、一対の欄干４の各下方位置を覆い、上階床の乗降口から下階床の乗降口の間に亘って設けられた一対のスカート部６とを備えている。
【００２３】
移動手摺り５は、上昇方向Ｕの運転時には下階床の乗降口側でスカート部６内より外部に現れ、上階床の乗降口側でスカート部６内に入り込む。又、下降方向Ｄの運転時には上階床の乗降口側でスカート部６内より外部に現れ、下階床の乗降口側でスカート部６内に入り込む。そして、各運転時において、移動手摺り５が欄干４の上端側を走行する際に利用者が手で掴むことに利用される。
【００２４】
スカート部６は、図２に示すように、欄干４の踏段３側である内側を覆い、利用者の足元を保護する内側デッキ部６ａと、欄干４の外側を覆う外側デッキ部６ｂと、内側デッキ部６ａと外側デッキ部６ｂの長手方向の両側位置、つまり、上階床及び下階床の双方の乗降口の位置で、その各端面の内側を覆う正面プレート６ｃとから構成されている。上階床及び下階床の双方の乗降口位置の正面プレート６ｃには、突出部６ｄがそれぞれ設けられている。この各突出部６ｄから上方に向かって欄干４と移動手摺り５を通すための欄干・手摺り用孔７がそれぞれ形成されている。そして、この各欄干・手摺り用孔７の周辺位置にインレット安全装置１０が設置されている。尚、インレット安全装置１０は、移動手摺り５がスカート部６に入り込む位置にのみ設置すれば良いが、本エスカレータ１は、上昇運転と下降運転の選択運転が可能である。そのため、インレット安全装置１０は、上階床及び下階床の双方の乗降口位置側の２カ所に設置されている。
【００２５】
図３〜図５に示すように、インレット安全装置１０は、正面プレート６ｃの欄干・手摺り用孔７に収容され、一部先端のみ（約５ｍｍ程度）が正面プレート６ｃの突出部６ｄより外部に突出されたインレット部材１１と、インレット部材１１の後端部に固定されたインレット支持部材１２と、エスカレータ本体（コンベア本体）側に固定された固定部材１３と、インレット支持部材１２と固定部材１３間に介在されたインレット移動ガイド手段である弾性体としての２枚の板バネ１４と、固定部材１３上に固定され、インレット支持部材１３を介してインレット部材１１のｈ矢印方向の変位を検知する安全スイッチ１５とを備えている。
【００２６】
インレット部材１１は、ゴム製で、断面Ｃ字状の移動手摺り５の外周を包囲するよう同じく断面Ｃ字状である。インレット部材１１は、移動手摺り５の移動方向ｈに移動自在に設けられている。
【００２７】
インレット支持部材１２は、インレット部材１１の後面に固定されたインレット固定側プレート部１２ａと、このインレット固定側プレート部１２ａに前面側が固定され、インレット固定側プレート部１２ａに直交するよう配置されたコ字状の本体プレート部１２ｂとから構成されている。本体プレート部１２ｂの中央フラット面は、固定部材１３に対して間隔を置いて平行に配置されている。
【００２８】
固定部材１３は左右の立設片１３ａを有し、この各立設片１３ａに調整ボルト１６，１７がそれぞれ設けられている。２カ所の調整ボルト１６，１７は、インレット支持部材１２の干渉することによってインレット部材１１の移動範囲を規制している。
【００２９】
２枚の板バネ１４は、平行配置された本体プレート部１２ｂと固定部材１３に対して共に傾斜された状態で互いに略平行に配置されている。つまり、本体プレート部１２ｂと固定部材１３と２枚の板バネ１４は平行四辺形状に配置されている。そして、インレット部材１１が移動手摺り５の移動方向に変位すると、ｉ矢印方向（図６に示す）に撓み変形し、インレット部材１１の移動手摺り５の移動方向ｈへの移動を許容する。又、この移動に際して、２枚の板バネ１４は、本体プレート部１２ｂと固定部材１３との傾斜角度を大きくする方向（９０度になる方向）に撓み変位することから、移動手摺り５の外側表面５ａとこれに対向するインレット部材１１の内面との隙間ｇを狭くする方向に変位しつつガイドする。又、２枚の板バネ１４は、インレット部材１２を移動手摺り５の移動方向ｈの反対方向に付勢する付勢手段を兼用している。
【００３０】
安全スイッチ１５は、インレット部材１１の移動手摺り５の移動方向ｈへの変位を検出し、この検出情報をエスカレータ１の図示しない駆動制御部に出力する。駆動制御部は、安全スイッチ１５からインレット部材１１の移動情報を受けると、直ちにエスカレータ１を緊急停止させる。
【００３１】
次に、上記インレット安全装置１０の動作を説明する。移動手摺り５の移動に伴って利用者の指等の異物がスカート部６に近づくと、先ずインレット部材１１に突き当たり、インレット部材１１を押す。この押圧力でインレット部材１１が２枚の板バネ１４のバネ力に抗して移動手摺り５の移動方向ｈに移動し、これを安全スイッチ１５が検知する。すると、エスカレータ１の運転が停止される。これによって、利用者の指等の異物が移動手摺り５とインレット部材１１との隙間ｇに巻き込まれる事態を防止する。
【００３２】
上記動作過程にあって、利用者の指等の異物が移動手摺り５の外側表面５ａとこれに対向するインレット部材１１の内面との隙間ｇに入り込むような位置でインレット部材１１に突き当たると、インレット部材１１の移動手摺り５の移動方向ｈへの移動に際して、図６及び図７に示すように、上記した２枚の板バネ１４のガイドによってインレット部材１１が隙間ｇを狭める方向に変位しつつ移動する。従って、利用者の指等の異物がインレット部材１１と移動手摺り５との隙間ｇに深く入り込むことがない。
【００３３】
以上より、移動手摺り５の外側表面５ａとこれに対向するインレット部材１１の内面との隙間ｇに利用者の指等の異物が入り込むような位置でインレット部材１１に突き当たる場合においても安全性を確保できる。
【００３４】
また、インレット安全装置１０は、スカート部６内の移動手摺り５の周辺にコンパクトに配置できるため、移動手摺り５が進入する箇所より下方の正面プレート６ｃのエリアＥ（図２に示す）に例えば情報表示装置を設置できる。この情報表示装置としては、乗降客に対して注意情報や各種の情報を表示するディスプレイなどである。このため、本実施の形態では、インレット安全装置１０により安全性を高めると共に、情報表示装置により注意情報などを乗降客に認識させることができ、より安全性を高めたエスカレータを実現できる。
【００３５】
この第１の実施の形態では、インレット移動ガイド手段は、インレット部材１１に固定されたインレット支持部材１２とエスカレータ本体側に固定された固定部材１３との間に介在され、互いに略平行に配置された２枚の板バネ１４である。従って、インレット移動ガイド手段をシンプルに構成できる。又、２枚の板バネ１４がインレット部材１１を移動手摺り５の移動方向ｈの反対方向に付勢する付勢手段を兼用するため、部品点数が削減され、インレット安全装置１０の構成がシンプルがなる。更に、板バネ１４は３枚以上を平行配置しても良い。
【００３６】
（第２の実施の形態）
図８〜図１１は本発明の第２の実施の形態に係るインレット安全装置を示し、図８はインレット安全装置の側面図、図９はインレット安全装置の平面図、図１０はインレット部材が変位した状態を示す側面図、図１１はインレット部材が変位した状態を示す平面図である。
【００３７】
この第２の実施の形態に係るインレット安全装置２０は、正面プレート６ｃの欄干・手摺り用孔７に収容され、一部先端のみ（約５ｍｍ程度）が正面プレート６ｃの突出部６ｄより外部に突出されたインレット部材２１と、インレット部材２１の後端部に固定されたインレット支持部材２２と、エスカレータ本体（コンベア本体）側に固定された固定部材２３と、インレット支持部材２２と固定部材２３間を連結するインレット移動ガイド手段である２組のリンク部材２４と、インレット部材２１を移動手摺り５の移動方向ｈの反対方向に付勢する付勢手段である引っ張りバネ２５と、固定部材２３上に固定され、インレット支持部材２３を介してインレット部材２１のｈ矢印方向の変位を検知する安全スイッチ２６とを備えている。
【００３８】
インレット部材２１は、ゴム製で、断面Ｃ字状の移動手摺り５の外周を包囲するよう同じく断面Ｃ字状である。インレット部材２１は、移動手摺り５の移動方向ｈに移動自在に設けられている。
【００３９】
インレット支持部材２２は、ベースプレート部２２ａとこのベースプレート部２２ａの両端より折り曲げによって立設された左右一対の側面プレート部２２ｂとから構成されている。一対の側面プレート２２ｂの先端側がインレット部材２１の後面に固定されている。
【００４０】
固定部材２３は、ベースプレート部２３ａと、このベースプレート部２３ａの前部の両端より折り曲げによって立設された左右一対の前部側面プレート部２３ｂと、ベースプレート部２３ａの後部の両端より折り曲げによって下設された左右一対の後部側面プレート部２３ｃとから構成されている。ベースプレート部２３ａの左右２カ所には、一対の規制ピン２７が下設されている。この各規制ピン２７はインレット支持部材２２のベースプレート部２２ａの規制孔２８にそれぞれ挿入されている。規制ピン２７が規制孔２８内でのみ移動可能とすることによってインレット部材２１の移動範囲を規制している。
【００４１】
各組の２本のリンク部材２４は、インレット支持部材２２の一対の側面プレート部２２ａと固定部材２３の一対の前部側面プレート部２３ｂとの間を連結し、共に傾斜された状態で略平行に配置されている。つまり、側面プレート部２２ａと前部側面プレート部２３ｂと２本のリンク部材２４は、平行四辺形のリンク機構を構成している。そして、インレット部材２１が移動手摺り５の移動方向ｈに変位すると、ｊ矢印方向（図１０に示す）に回転し、インレット部材２１の移動手摺り５の移動方向ｈへの移動を許容する。又、この移動に際して、各組の２本のリンク部材２４は、側面プレート部２２ａと前部側面プレート部２３ｂとの傾斜角度を大きくする方向（９０度とする方向）に回転することから、移動手摺り５の外側表面５ａとこれに対向するインレット部材２１の内面との隙間ｇを狭くする方向に変位しつつガイドする。
【００４２】
引っ張りバネ２５は、インレット支持部材２２のベースプレート部２２ａの両側の後端と左右のリンク部材２４間の連結ピン２４ａとの間にそれぞれ介在されている。
【００４３】
安全スイッチ２６は、インレット部材２１の移動手摺り５の移動方向ｈへの変位を検出し、この検出情報をエスカレータの図示しない駆動制御部に出力する。駆動制御部は、安全スイッチ２６からインレット部材１１の移動情報を受けると、直ちにエスカレータを緊急停止させる。
【００４４】
次に、上記インレット安全装置２０の動作を説明する。移動手摺り５の移動に伴って利用者の指等の異物がスカート部６に近づくと、先ずインレット部材２１に突き当たり、インレット部材２１を押す。この押圧力でインレット部材２１が引っ張りバネ２５のバネ力に抗して移動手摺り５の移動方向ｈに移動し、これを安全スイッチ１５が検知する。すると、エスカレータの運転が停止される。これによって、利用者の指等の異物が移動手摺り５とインレット部材２１との隙間ｇに巻き込まれる事態を防止する。
【００４５】
上記動作過程にあって、利用者の指等の異物が移動手摺り５の外側表面５ａとこれに対向するインレット部材２１の内面との隙間ｇに入り込むような位置でインレット部材２１に突き当たると、インレット部材２１の移動手摺り５の移動方向ｈへの移動に際して、図１０及び図１１に示すように、上記した２本のリンク部材２４のガイドによってインレット部材２１が隙間ｇを狭める方向に変位しつつ移動する。従って、利用者の指等の異物がインレット部材２１と移動手摺り５との隙間ｇに深く入り込むことがない。
【００４６】
以上より、移動手摺り５の外側表面５ａとこれに対向するインレット部材２１の内面との隙間ｇに利用者の指等の異物が入り込むような位置でインレット部材２１に突き当たる場合においても安全性を確保できる。
【００４７】
この第２の実施の形態では、インレット移動ガイド手段は、インレット部材２１に固定されたインレット支持部材２２とエスカレータ本体側に固定された固定部材２３との間を連結し、互いに略平行に配置された２本リンク部材２４である。従って、インレット移動ガイド手段をシンプルに構成できる。又、各組のリンク部材２４は３本以上を平行配置しても良い。
【００４８】
この第２の実施の形態では、２本のリンク部材２４は、インレット支持部材２２と固定部材２３の左右位置にそれぞれ設けられたので、インレット部材２１と共にインレット支持部材２２を移動手摺り５の移動方向ｈにスムーズに移動できる。
【００４９】
（第３の実施の形態）
図１２及び図１３は本発明の第３の実施の形態を示し、図１２はインレット安全装置の側面図、図１３はインレット安全装置の平面図である。
【００５０】
この第３の実施の形態に係るインレット安全装置３０は、前記第２の実施の形態に係るインレット安全装置２０と同様に、正面プレート６ｃの欄干・手摺り用孔７に収容され、一部先端のみ（約５ｍｍ程度）が正面プレート６ｃの突出部６ｄより外部に突出されたインレット部材３１と、インレット部材３１の後端部に固定されたインレット支持部材３２と、エスカレータ本体（コンベア本体）側に固定された固定部材３３と、インレット支持部材３２と固定部材３３間を連結するインレット移動ガイド手段である２組のリンク部材３４と、インレット部材３１を移動手摺り５の移動方向ｈの反対方向に付勢する付勢手段である引っ張りバネ３５と、固定部材３３上に固定され、インレット支持部材３３を介してインレット部材３１のｈ矢印方向の変位を検知する安全スイッチ３６とを備えている。基本的構造は、第２の実施の形態と同様である。ただし、前記第２の実施の形態では、２組のリンク部材２４が移動手摺り５の両側位置に配置されていたが、この第３の実施の形態では２組のリンク部材３４が移動手摺り５の下方位置に配置されている点が相違する。２組のリンク部材３４の配置をこのような配置とするべく各部品の構成は異なるが機能的には同一であるため、詳細な構造説明は省略する。
【００５１】
この第３の実施の形態に係るインレット安全装置３０においても、第２の実施の形態と同様に、移動手摺り５の外側表面５ａとこれに対向するインレット部材３１の内面との隙間ｇに利用者の指等の異物が入り込むような位置でインレット部材３１に突き当たる場合においても安全性を確保できる。
【００５２】
また、第２の実施の形態の場合には、２本のリンク部材２４は、移動手摺り５の両側位置に設けられているため、スカート部６内の移動手摺り５の下方スペースを他の部品設置スペースとして利用できる。又、第３の実施の形態の場合には、２本のリンク部材３４は、移動手摺り５の下方位置に設けられているため、スカート部６内の移動手摺り５の左右両側スペースを他の部品設置スペースとして利用できる。  
なお、実施の形態では、インレット安全装置１０，２０，３０を乗客コンベアであるエスカレータ１に適用したが、エスカレータ１以外の乗客コンベア、例えば動く歩道に適用できることはもちろんである。
【図面の簡単な説明】
【００５３】
【図１】本発明の第１の実施の形態に係るエスカレータの概略側面図。
【図２】図１のＡ矢視図。
【図３】本発明の第１の実施の形態に係るインレット安全装置の正面図。
【図４】本発明の第１の実施の形態に係るインレット安全装置の側面図。
【図５】本発明の第１の実施の形態に係るインレット安全装置の平面図。
【図６】インレット部材が変位した状態を示す側面図である。
【図７】インレット部材が変位した状態を示す平面図。
【図８】本発明の第２の実施の形態に係るインレット安全装置の側面図。
【図９】本発明の第２の実施の形態に係るインレット安全装置の平面図。
【図１０】インレット部材が変位した状態を示す側面図である。
【図１１】インレット部材が変位した状態を示す平面図。
【図１２】本発明の第３の実施の形態に係るインレット安全装置の側面図。
【図１３】本発明の第３の実施の形態に係るインレット安全装置の平面図。
【図１４】第１の従来例のインレット安全装置の一部破断側面図。
【図１５】第２の従来例のインレット安全装置の側面図。
【図１６】第３の従来例のインレット安全装置の断面図。
【符号の説明】
【００５４】
１  エスカレータ（乗客コンベア）
５  移動手摺り
５ａ  外側表面
６  スカート部
１０，２０，３０  インレット安全装置
１１，２１，３１  インレット部材
１２，２２，３２  インレット支持部材
１３，２３，３３  固定部材
１４  板バネ（インレット移動ガイド手段、付勢手段）
１５，２６，３６  安全スイッチ
２４，３４  リンク部材（インレット移動ガイド手段）
２５，３５  引っ張りバネ（付勢手段）
【図１】
2008156084.tif 000003
【図２】
2008156084.tif 000004
【図３】
2008156084.tif 000005
【図４】
2008156084.tif 000006
【図５】
2008156084.tif 000007
【図６】
2008156084.tif 000008
【図７】
2008156084.tif 000009
【図８】
2008156084.tif 000010
【図９】
2008156084.tif 000011
【図１０】
2008156084.tif 000012
【図１１】
2008156084.tif 000013
【図１２】
2008156084.tif 000014
【図１３】
2008156084.tif 000015
【図１４】
2008156084.tif 000016
【図１５】
2008156084.tif 000017
【図１６】
2008156084.tif 000018